(57)【要約】【解決手段】底部１と底部にヒンジ連結された長側壁２と同じく底部にヒンジ連結された短側壁３とを有するとともに、長側壁及び短側壁を、底部に重なるように倒すことにより折り畳むことが可能な折り畳みコンテナーにおいて、長側壁を、外側から内側に向かって膨出させることにより、長側壁に、張出部Ｖを形成したものである。【効果】長側壁を、外側から内側に向かって膨出することにより、長側壁に、張出部を形成したので、長側壁の剛性が向上し、箱型に組み立てられた折り畳みコンテナーの長側壁に、外側から負荷が加わっても、長側壁が内側に湾曲するようなことを抑制することができる。【選択図】図２
2004352317.tif 000002
【特許請求の範囲】
【請求項１】
底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁を、外側から内側に向かって膨出させることにより、長側壁に、張出部を形成したことを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された底部の相対する長辺部に、ヒンジ部材を介して連結された長側壁と、同じく上記底部の相対する短辺部に、ヒンジ部材を介して連結された短側壁とからなり、底部に対して略垂直に長側壁と短辺部を立てることにより、箱型に組み立てられ、また、折り畳む際には、底部の上に重なるように、長側壁及び短側壁を折り畳むようにした折り畳みコンテナーが知られている。
【０００３】
【発明が解決しようとする課題】
上述した従来の折り畳みコンテナーにおいては、長側壁や短側壁の強度的に弱く、変形し易いという問題があった。特に、折り畳みコンテナーの大型化に伴い、長側壁の横幅が、１メートルを越えるものや、２メートル近くにもなると、長側壁の変形が顕著となり、箱型に組み立てられた長側壁を持って運搬することが困難となる。
【０００４】
箱型に組み立てられた折り畳みコンテナーを運搬する際には、通常、作業者は、一方の長側壁側に位置し、両手で、それぞれ、相対する短側壁の中央上部に形成されている把持部を持って、箱型に組み立てられた折り畳みコンテナーを運搬するが、短側壁の横幅は短いので、短側壁が内側に大きく湾曲するようなことはなく、従って、折り畳みコンテナーに収納されている物品が損傷するようなことはない。しかしながら、長側壁の横幅が、１メートルを越えるものや、２メートル近くにもなると、相対する短側壁の中央上部に形成されている把持部を持って、箱型に組み立てられた折り畳みコンテナーを運搬することが難しくなり、作業者は、一方の長側壁側に位置した後、両手で、それぞれ、相対する長側壁の上部を持って、箱型に組み立てられた折り畳みコンテナーを運搬することが、通常、行われている。このように、相対する長側壁の上部を持って、箱型に組み立てられた折り畳みコンテナーを運搬すると、長側壁が内側に大きく湾曲することになり、従って、折り畳みコンテナーに収納されている物品が損傷したり、長側壁が損傷するという問題があった。
【０００５】
本発明の目的は、上述した従来の折り畳みコンテナーが有する課題を解決することにある。
【０００６】
【課題を解決するための手段】
本発明は、上述した目的を達成するために、底部と底部にヒンジ連結された長側壁と同じく底部にヒンジ連結された短側壁とを有するとともに、長側壁及び短側壁を、底部に重なるように倒すことにより折り畳むことが可能な折り畳みコンテナーにおいて、長側壁を、外側から内側に向かって膨出することにより、長側壁に、張出部を形成したものである。
【０００７】
【実施例】
以下に、本発明の実施例について説明するが、本発明の趣旨を越えない限り何ら、本実施例に限定されるものでない。
【０００８】
本発明の折り畳みコンテナーは、底部１と、底部１の長辺側土手部１ａにヒンジ連結された相対する長側壁２と、長辺側土手部１ａより高さの低い短辺側土手部１ｂにヒンジ連結された相対する短側壁３とから構成されており、図１に示されている箱型に組み立てられた状態から、先ず最初に、短側壁３を、図２に示されているように、底部１に重なるように倒し、次いで、長側壁２を、底部１に重ねられた短側壁３に重なるように倒すことにより、図３に示されているように、折り畳みコンテナーを、高さの低いコンパクトに折り畳むことができるように構成されている。また、図３に示されている状態から、長側壁２を、略垂直に立て、次いで、短側壁３を略垂直に立てることにより、図１に示されているように、折り畳まれていた折り畳みコンテナーを、箱型に組み立てることができるように構成されている。
【０００９】
長側壁２は、横長の略長方形状の板状部２ａを有しており、長側壁２の両垂直端には、板状部２ａに略垂直に、且つ、長側壁２の内壁面方向に延在する、縦長の係合枠２ｂが形成されており、係合枠２ｂには、上下方向に所定の間隔を置いて、板状部２ａに略平行な嵌合孔２ｂ１が、適当数、形成されている（本実施例においては、２個の嵌合孔２ｂ１が形成されている。）。
【００１０】
長側壁２の板状部２ａの上部両端角部付近には、それぞれ、コの字状のスリット２ｃが形成されており、コの字状のスリット２ｃを形成することにより、スリット２ｃで囲まれた部分が、水平方向に延在する片持ち状の係止弾性片２ｄが形成されている。係止弾性片２ｄの内面側の先端部には、係止突部２ｄ１が突設されており、係止突部２ｄ１の係合枠２ｂ側は、係合枠２ｂの内面側の面と略平行な垂直面に形成されているとともに、係止突部２ｄ１の内面には、傾斜面が形成されている。また、係止弾性片２ｄの係止突部２ｄ１は、その先端が、長側壁２の内面（折り畳みコンテナーを箱型に組み立てた際に、内側に位置する面）２ａ１から、所定量、突出するように形成されている。
【００１１】
長側壁２の板状部２ａの上端縁には、板状部２ａに略垂直で、且つ、外側に延在する上端水平フランジ２ｅが形成されており、また、板状部２ａの下端縁には、同じく、板状部２ａに略垂直で、且つ、外側に延在する下端水平フランジ２ｆが形成されており、更に、板状部２ａの外面（折り畳みコンテナーを箱型に組み立てた際に、外側に位置する面）２ａ２には、適当数の垂直リブ２ｇや水平リブ２ｈが形成されている。
【００１２】
短側壁３は、横長の略長方形状の板状部３ａを有しており、板状部３ａの上下端には、板状部３ａに略垂直で、且つ、外側に延在する上端水平フランジ３ｂ及び下端水平フランジ３ｃが、それぞれ形成されており、また、板状部３ａの左右端には、板状部３ａに略垂直で、且つ、外側に延在する端部垂直フランジ３ｄが、それぞれ形成されている。端部垂直フランジ３ｄの外側には、縦長の延長枠３ｅが形成されており、延長枠３ｅには、端部垂直フランジ３ｄに沿って適当数の嵌合突部３ｅ１が形成されている（本実施例においては、上述した係合枠２ｂに形成された２個の嵌合孔２ｂ１に対応して、２個の嵌合突部３ｅ１が形成されている。）。嵌合突部３ｅ１は、上述した長側壁２の係合枠２ｂに形成された嵌合孔２ｂ１に挿入できるように構成されている。更に、板状部３ａの外面（折り畳みコンテナーを箱型に組み立てた際に、外側に位置する面）３ａ１には、適当数の垂直リブ３ｆや水平リブ３ｇが形成されている。
【００１３】
折り畳みコンテナーを、図３に示されている折り畳まれた状態から、図１に示されている箱型に組み立てるには、先ず最初に、略水平状態の長側壁２を、垂直方向に回動させて、図２に示されているように、略垂直に立てる。次いで、底部１に重なるようにして折り畳まれている短側壁３を、略水平状態から垂直方向に回動させると、短側壁３の延長枠３ｅが、長側壁２に形成された係合枠２ｂに対向するように接近し、更に、短側壁３を、垂直方向に回動させると、短側壁３の延長枠３ｅの端部垂直面が、長側壁２の内壁面から突出している係止弾性片２ｄの傾斜面に乗り上げながら係止突部２ｄ１を押して、係止弾性片２ｄを、外側方向に、係止弾性片２ｄの弾性に抗して、湾曲させる。更に、短側壁３を、垂直方向に回動させると、短側壁３の延長枠３ｅに突設された嵌合突部３ｅ１が、長側壁２の係合枠２ｂに形成された嵌合孔２ｂ１に挿入される。この短側壁３の延長枠３ｅに突設された嵌合突部３ｅ１が、長側壁２の係合枠２ｂに形成された嵌合孔２ｂ１に挿入される過程において、短側壁３の延長枠３ｅから、長側壁２に形成された係止弾性片２ｄの係止突部２ｄ１が外れて、係止弾性片２ｄが、その弾性により、元の位置に戻り、係止弾性片２ｄの垂直面が、短側壁３の延長枠３ｅの背板部に当接或いは接近して位置する。従って、短側壁３が、底部１方向に回動しようとしても、短側壁３の延長枠３ｅが、長側壁２に形成された係止弾性片２ｄの係止突部２ｄ１に当接し、底部１方向への回動が阻止されることになり、短側壁３に外側から負荷が掛かっても、底部１方向に倒れるようなことがない。同様にして、もう一方の短側壁３を、略水平状態から垂直方向に回動させて、折り畳みコンテナーを箱型に組み立てる。
【００１４】
箱型に組み立てられた折り畳みコンテナーを折り畳む際には、長側壁２に形成された係止弾性片２ｄの係止突部２ｄ１を、短側壁３の延長枠３ｅから外れる方向に、即ち、外側方向に押して、長側壁２の係止弾性片２ｄを、その弾性に抗して湾曲させる。長側壁２に形成された係止弾性片２ｄの係止突部２ｄ１が、短側壁３の延長枠３ｅから外れた時点で、短側壁３を、底部１方向に回動させて、一対の相対する短側壁３を、底部１上に重ねる。次いで、一対の相対する長側壁２を、底部１上に重ねられた一対の相対する短側壁３の上に重ねることにより、箱型に組み立てられた折り畳みコンテナーを折り畳むことができる。
【００１５】
上述した折り畳みコンテナーの長側壁２には、板状部２ａの内面（折り畳みコンテナーを箱型に組み立てた際に、内側に位置する面）２ａ１の中央部領域には、板状部２ａを、外側から内側に向かって膨出することにより形成された張出部Ｖが形成されている。本実施例においては、張出部Ｖは、板状部２ａと平行な略方形状の平坦板状部ｖ１と、平坦板状部ｖ１の４辺の周縁から板状部２ａ方向に延在する傾斜部ｖ２とから形成されている。
【００１６】
長側壁２の板状部２ａに形成された張出部Ｖの横幅（長側壁２の長手方向に沿った長さ）Ｗ１は、図２に示されているように、折り畳みコンテナーの短側壁３を、底部１に重ねるように倒した際の短側壁３の上端水平フランジ３ｂ間の間隙幅Ｗ２より狭いことが好ましい。また、張出部Ｖの張出量（長側壁２の板状部２ａの内面２ａ１から、張出部Ｖの平坦板状部ｖ１までの距離）Ｔ１は、図２に示されているように、折り畳みコンテナーの短側壁３を、底部１に重ねるように倒した際に、短側壁３の上端水平フランジ３ｂ間に形成される凹部空間の深さ（短側壁３の厚さに略等しい）以下に形成することが好ましい。このように、張出部Ｖの横幅Ｗ１を、底部１に重ねられた短側壁３の上端水平フランジ３ｂ間の間隙幅Ｗ２より狭くするとともに、張出部Ｖの張出量Ｔ１を、底部１に重ねられた短側壁３の上端水平フランジ３ｂ間に形成される凹部空間の深さ以下に形成することにより、長側壁２を、底部１に重ねられている短側壁３の上に重ねた際に、長側壁２に形成された張出部Ｖが、短側壁３の上端水平フランジ３ｂ間に形成される凹部空間に、完全に挿入されるので、折り畳まれた状態の折り畳みコンテナーの高さが、長側壁２に張出部Ｖが形成されていない従来の折り畳みコンテナーの折り畳み時の高さと同じであり、長側壁２に張出部Ｖが形成されている本発明の折り畳みコンテナーの折り畳み時の高さが高くなるようなことを防止することができる。また、折り畳まれた状態の折り畳みコンテナーの長側壁２の中央部に、上方から負荷が加わっても、長側壁２の張出部Ｖが、底部１の上面に当接し、従って、長側壁２が大きく湾曲し、長側壁２が損傷するようなことを防止することができる。
【００１７】
長側壁２の板状部２ａに形成された張出部Ｖの高さ（長側壁２の高さ方向に沿った長さ）Ｈ１は、適宜、設定することができる。例えば、図１に示されているように、長側壁２の全高より低くするこよもできるし、また、長側壁２の全高と略同じ高さに形成することもできる。このように、張出部Ｖの高さＨ１を、図１に示されているように、長側壁２の全高より低くした場合には、張出部Ｖの形成位置を、長側壁２の上端水平フランジ２ｅに接近して形成することも、また、長側壁２の中程に形成することも、また、長側壁２の下方に形成することもできる。
【００１８】
上述したように、長側壁２の板状部２ａを、外側から内側に向かって膨出することにより、長側壁２に張出部Ｖを形成したので、長側壁２の剛性、特に、長側壁２の長手方向の剛性が向上し、箱型に組み立てられた折り畳みコンテナーの長側壁２に、外側から負荷が加わっても、長側壁２が内側に湾曲するようなことを抑制することができる。従って、相対する長側壁２の中央上部に形成されている把持部（例えば、長側壁２の上端水平フランジ２ｅ付近に位置する板状部２ａに形成された開口部として構成されている。）や上端水平フランジ２ｅを持って、箱型に組み立てられた折り畳みコンテナーを運搬する際に、長側壁２が内側に大きく湾曲するようなことはなく、折り畳みコンテナーに収納されている物品が損傷したり、長側壁２が損傷するようなことを防止することができる。
【００１９】
なお、上述した実施例においては、箱型に組み立てられた折り畳みコンテナーを折り畳む折り畳み作業に際に、先に、長側壁２を倒し、次いで、短側壁３を倒すように構成されているが、先に、短側壁３を倒し、次いで、長側壁２を倒すように構成することもできる。
【００２０】
【発明の効果】
本発明は、以上説明した構成を有しているので、以下に記載する効果を奏するものである。
【００２１】
長側壁を、外側から内側に向かって膨出することにより、長側壁に、張出部を形成したので、長側壁の剛性が向上し、箱型に組み立てられた折り畳みコンテナーの長側壁に、外側から負荷が加わっても、長側壁が内側に湾曲するようなことを抑制することができる。
【図面の簡単な説明】
【図１】図１は本発明の折り畳みコンテナーが箱型に組み立てられた状態の斜視図である。
【図２】図２は本発明の折り畳みコンテナーの組み立て或いは折り畳み途中の斜視図である。
【図３】図３は本発明の折り畳みコンテナーの折り畳まれた状態の斜視図である。
【図４】図４は本発明の折り畳みコンテナーの別の実施例の箱型に組み立てられた状態の斜視図である。
【符号の説明】
Ｖ・・・・・・・・・・・・・・・・・・・・張出部
１・・・・・・・・・・・・・・・・・・・・底部
２・・・・・・・・・・・・・・・・・・・・長側壁
２ａ・・・・・・・・・・・・・・・・・・・板状部
３・・・・・・・・・・・・・・・・・・・・短側壁
３ａ・・・・・・・・・・・・・・・・・・・板状部
【図１】
2004352317.tif 000003
【図２】
2004352317.tif 000004
【図３】
2004352317.tif 000005
【図４】
2004352317.tif 000006